(57)【特許請求の範囲】
【請求項１】
文書に該文書の操作制限を規定する標示情報が付与されているかを判別する標示情報付与判別手段と、
前記標示情報付与判別手段により前記標示情報が付与されていると判別された場合は、該標示情報を抽出する抽出手段と、
前記抽出手段で抽出した前記標示情報が規定する操作制限に対応する操作制限情報を前記文書に対応して設定する設定手段と、
前記標示情報付与判別手段により前記標示情報が付与されていないと判別された場合は、前記文書の操作制限を規定する操作制限情報が前記文書に設定されているかを判別する操作制限情報設定判別手段と、
前記操作制限情報設定判別手段により前記操作制限情報が前記文書に設定されていない場合は、予め定められた所定の標示情報を前記文書に設定する標示情報設定手段と、
前記操作制限情報設定判別手段により前記操作制限情報が前記文書に設定されていると判別された場合は、該操作制限情報に対応する標示情報を特定する特定手段と、
前記特定手段で特定した標示情報を前記文書に付与する付与手段と
を具備することを特徴とする文書管理装置。
【請求項２】
請求項１に記載の文書管理装置と、
前記文書管理装置により管理される操作制限情報により操作制限される文書を操作する文書操作装置と
を備えた文書管理システムであって、
前記文書管理装置は更に、
前記文書操作装置で前記文書に対する前記標示情報または前記操作制限情報の設定または検知の動作があったか否かを検知する検知手段を具備し、
前記検知手段により動作が検知された場合に、前記標示情報付与判別手段、前記抽出手段、前記設定手段、前記操作制限情報設定判別手段、前記標示情報設定手段、前記特定手段、前記付与手段の各手段を動作させる
ことを特徴とする文書管理システム。
【請求項３】
コンピュータを、
文書に該文書の操作制限を規定する標示情報が付与されているかを判別する標示情報付与判別手段と、
前記標示情報付与判別手段により前記標示情報が付与されていると判別された場合は、該標示情報を抽出する抽出手段と、
前記抽出手段で抽出した前記標示情報が規定する操作制限に対応する操作制限情報を前記文書に対応して設定する設定手段と、
前記標示情報付与判別手段により前記標示情報が付与されていないと判別された場合は、前記文書の操作制限を規定する操作制限情報が前記文書に設定されているかを判別する操作制限情報設定判別手段と、
前記操作制限情報設定判別手段により前記操作制限情報が前記文書に設定されていない場合は、予め定められた所定の標示情報を前記文書に設定する標示情報設定手段と、
前記操作制限情報設定判別手段により前記操作制限情報が前記文書に設定されていると判別された場合は、該操作制限情報に対応する標示情報を特定する特定手段と、
前記特定手段で特定した標示情報を前記文書に付与する付与手段
として機能させることを特徴とする文書管理プログラム。
【発明の詳細な説明】
【技術分野】
【０００１】
本発明は、文書管理システム、文書管理装置および文書管理プログラムに関する。
【背景技術】
【０００２】
特許文献１には、文書の閲覧許可者の指定を含む機密ポリシーを管理サーバで管理し、機密文書を作成する作成側のクライアントが管理サーバから機密ポリシーを取得し、取得した機密ポリシーに基づいて文書の暗号化やイメージの貼付等を含む機密文書化処理を実行し、機密化された文書に関する情報を管理サーバで管理して、管理サーバが閲覧の可否や印刷の可否を制御する技術が開示されている。
【０００３】
また、特許文献２には、セキュリティ情報が設定されていない文書に対して、その文書からセキュリティ情報が設定された文書の蓄積された情報（比較対象情報）と比較するための情報（選択情報）を選択し、選択情報と比較対象情報との類似度の算出結果から推定されるセキュリティ属性値に対応するセキュリティ情報をセキュリティ情報が設定されていない文書に適用して制御する技術が開示されている。
【０００４】
また、特許文献３には、文書を保管するサーバと複数のクライアント端末とが接続された内部ネットワークから外部ネットワークに接続して文書を送信するネットワークシステムにおいて、画像データをイメージパターンとして作成して保存し、サーバに保管された文書にイメージパターンを挿入するイメージパターン管理装置を内部ネットワークに接続し、内部ネットワークと外部ネットワークとの間にゲートウエイを設け、内部ネットワークから外部ネットワークに送信される文書は、全てゲートウエイにより、イメージパターンの挿入有無が検知され、イメージパターンが検知された場合は、ゲートウエイにより内部ネットワークから外部ネットワークへの接続を切断し、検知されない場合は、内部ネットワークと外部ネットワークとの接続を中継する技術が開示されている。
【特許文献１】特開２００４−１５１１６３号公報
【特許文献２】特開２００７−０３４６１８号公報
【特許文献３】特開２００６−０４８１９３号公報
【発明の開示】
【発明が解決しようとする課題】
【０００５】
本発明は、システム上で文書をセキュリティ管理するために文書に設定される操作制限情報と、その文書に付与される標示情報の各セキュリティ情報が整合するように制御する文書管理システム、文書管理装置および文書管理プログラムを提供する。
【課題を解決するための手段】
【０００６】
上記目的を達成するため、請求項１の発明の文書管理装置は、文書に該文書の操作制限を規定する標示情報が付与されているかを判別する標示情報付与判別手段と、前記標示情報付与判別手段により前記標示情報が付与されていると判別された場合は、該標示情報を抽出する抽出手段と、前記抽出手段で抽出した前記標示情報が規定する操作制限に対応する操作制限情報を前記文書に対応して設定する設定手段と、前記標示情報付与判別手段により前記標示情報が付与されていないと判別された場合は、前記文書の操作制限を規定する操作制限情報が前記文書に設定されているかを判別する操作制限情報設定判別手段と、前記操作制限情報設定判別手段により前記操作制限情報が前記文書に設定されていない場合は、予め定められた所定の標示情報を前記文書に設定する標示情報設定手段と、前記操作制限情報設定判別手段により前記操作制限情報が前記文書に設定されていると判別された場合は、該操作制限情報に対応する標示情報を特定する特定手段と、前記特定手段で特定した標示情報を前記文書に付与する付与手段とを具備することを特徴とする。
【０００７】
また、請求項２の発明の文書管理システムは、請求項１に記載の文書管理装置と、前記文書管理装置により管理される操作制限情報により操作制限される文書を操作する文書操作装置とを備えた文書管理システムであって、前記文書管理装置は更に、前記文書操作装置で前記文書に対する前記標示情報または前記操作制限情報の設定または検知の動作があったか否かを検知する検知手段を具備し、前記検知手段により動作が検知された場合に、前記標示情報付与判別手段、前記抽出手段、前記設定手段、前記操作制限情報設定判別手段、前記標示情報設定手段、前記特定手段、前記付与手段の各手段を動作させることを特徴とする。
【０００８】
また、請求項３の発明の文書管理プログラムは、コンピュータを、文書に該文書の操作制限を規定する標示情報が付与されているかを判別する標示情報付与判別手段と、前記標示情報付与判別手段により前記標示情報が付与されていると判別された場合は、該標示情報を抽出する抽出手段と、前記抽出手段で抽出した前記標示情報が規定する操作制限に対応する操作制限情報を前記文書に対応して設定する設定手段と、前記標示情報付与判別手段により前記標示情報が付与されていないと判別された場合は、前記文書の操作制限を規定する操作制限情報が前記文書に設定されているかを判別する操作制限情報設定判別手段と、前記操作制限情報設定判別手段により前記操作制限情報が前記文書に設定されていない場合は、予め定められた所定の標示情報を前記文書に設定する標示情報設定手段と、前記操作制限情報設定判別手段により前記操作制限情報が前記文書に設定されていると判別された場合は、該操作制限情報に対応する標示情報を特定する特定手段と、前記特定手段で特定した標示情報を前記文書に付与する付与手段として機能させることを特徴とする。
【発明の効果】
【００１２】
請求項１記載の発明によれば、文書に付与された標示情報と文書に対して設定される操作制限情報とを同期させることができるという、効果を有する。
【００１３】
また、請求項２記載の発明によれば、文書に付与された標示情報と文書に対して設定される操作制限情報とを同期させることができるという、効果を有する。
【００１４】
また、請求項３記載の発明によれば、文書に付与された標示情報と文書に対して設定される操作制限情報とを同期させることができるという、効果を有する。
【発明を実施するための最良の形態】
【００１８】
以下、本発明に係わる文書管理システム、文書管理装置および文書管理プログラムの一実施例について、添付図面を参照して詳細に説明する。
【００１９】
図１は、本発明に係わる文書管理システム１００の主な構成を示す構成図である。
【００２０】
図１に示すように、文書管理システム１００は、クライアントＰＣ１と、複合機２と、文書ポリシーサーバ３と、文書管理装置４とがＬＡＮ（＝Ｌｏｃａｌ  Ａｒｅａ  Ｎｅｔｗｏｒｋ）等のネットワーク５で接続されており、クライアントＰＣ１、文書ポリシーサーバ３、文書管理装置４の各装置は、入力装置（例えばキーボードやマウス等）、出力装置（例えばディスプレイ等）、中央処理装置（例えばＣＰＵ）、記憶装置（ＲＯＭ、ＲＡＭ、ハードディスク、外部記憶装置等）等で構成された一般的なコンピュータである。
【００２１】
尚、ＣＰＵは、Ｃｅｎｔｒａｌ  Ｐｒｏｃｅｓｓｉｎｇ  Ｕｎｉｔ、ＲＯＭは、Ｒｅａｄ  Ｏｎｌｙ  Ｍｅｍｏｒｙ、ＲＡＭは、Ｒａｎｄｏｍ  Ａｃｃｅｓｓ  Ｍｅｍｏｒｙの略である。
【００２２】
また、文書管理システム１００には、前述した各装置の他に、ネットワーク５に接続される各種装置を管理するサーバ等の各種装置が接続されており、ネットワーク５にはクライアントＰＣ１や複合機２等の各装置が複数接続されていてもよい。
【００２３】
本発明に係わる文書管理システム１００を構成するクライアントＰＣ１は、文書の作成、表示、編集、印刷等の各種文書処理（例えば文書エディタ、ワードプロセッサ等の汎用の文書処理ソフト等による処理機能）を行う従来の機能に加えて、文書への操作制限情報（以下、説明の便宜上、「ポリシー」という。）の設定、文書への標示情報（以下、説明の便宜上、「ポリシータグ」という。）の付与、文書に設定されたポリシーや文書に付与されたポリシータグの検知、ポリシーやポリシータグに対応付けされたセキュリティ情報の取得、文書に設定されたポリシーに基づく当該文書に対する操作制限の制御等を行う図示せぬポリシー制御機能（ＰＣ）を備えている。
【００２４】
ここで言うポリシーとは、文書（電子文書または紙文書等）のセキュリティ管理を行う上で、文書に対する取扱いを定めたセキュリティ情報のことであり、文書とセキュリティ情報とを関連付けて管理することを文書にポリシーを設定するという。
【００２５】
セキュリティ情報には、例えば文書に対するアクセス権限や使用権限等をユーザ、所属(会社における部署)、関係者、関係グループ等の各単位で、文書の種類(人事関連、経理関連、総務関連等)、秘密レベル(極秘、部外秘、社外秘、グループ外秘等)、有効期限(その文書が効力を持つ期限)等の各種類毎に関連付けられる情報がある。
【００２６】
このようなセキュリティ情報を文書毎に関連付けて管理することで、アクセス権限や使用権限等を有する者や条件でなければ、文書の取扱が制限されて文書が保護される。
【００２７】
また、前述したポリシータグとは、文書のポリシーとして設定される各セキュリティ情報に対応して表現された情報であり、例えば図２（ａ）に示すような画像（例えばＪＰＥＧ画像）、図２（ｂ）に示すようなベクトル図形（例えばＳＶＧ）、図２（ｃ）及び図２（ｄ）に示すような各種文書処理機能が備えるインタフェースで設定可能な情報（例えば、ヘッダ・フッタ機能で設定される社外秘、複写禁、頁、日付等）、図２（ｅ）に示すようなＱＲコード、図２（ｆ）に示すようなＲＦＩＤ、その他に一次元または二次元バーコードのマーク、貼付シール、トラストマーキング、不可視インク、紙指紋、判子押印のように印刷されたマーク、及びこれらの情報を組合わせた複合的なタグ情報等で表現された情報であり、これらのポリシータグが文書に付与される。
【００２８】
尚、ＪＰＥＧは、Jｏｉｎｔ  Ｐｈｏｔｏｇｒａｐｈｉｃ  Ｅｘｐｅｒｔｓ  Ｇｒｏｕｐの略、ＳＶＧは、Ｓｃａｌａｂｌｅ  Ｖｅｃｔｏｒ  Ｇｒａｐｈｉｃｓの略、ＲＦＩＤは、Ｒａｄｉｏ  Ｆｒｅｑｕｅｎｃｙ  Ｉｄｅｎｔｉｆｉｃａｔｉｏｎの略、ＱＲは、Ｑｕｉｃｋ  Ｒｅｓｐｏｎｓｅの略である。また、図２（ａ）は、文書を秘密文書または複写禁止の文書として保護したい場合の画像で表現されたポリシータグの一例、図２（ｂ）は、文書を機密文書として保護したい場合のベクトル画像で表現されたポリシータグの一例、図２（ｃ）は、文書処理機能が備えるインタフェース機能の設定操作により文書を社外秘として保護したい場合の設定操作とそのポリシータグの一例、図２（ｄ）は、文書処理機能が備えるインタフェース機能により設定されたポリシータグが付与された紙文書の一例、図２（ｅ）は、ＱＲコードで表現されたポリシータグが付与された紙文書の一例、図２（ｆ）は、ＲＦＩＤで表現されたポリシータグが付与された紙文書の一例である。    複合機２は、紙文書（用紙に印刷された文書）を光学的に走査して紙文書の画像を読み取り、読み取った画像を指定先へ送信するスキャン処理機能の他に、印刷指示された印刷データを印刷する印刷処理機能、紙文書を複製する複製処理機能、紙文書または電子文書のファクシミリ通信を行うファクシミリ通信機能等の従来の機能に加えて、紙文書から読み取った画像（以下、「スキャン画像」という。）や印刷指示された印刷データ及びファクシミリ通信機能で受信した画像へのポリシーの設定またはポリシータグの付与、紙文書やスキャン画像等に設定または付与されたポリシーやポリシータグの検知、ポリシーやポリシータグに対応付けされたセキュリティ情報の取得、紙文書やスキャン画像等に設定されたポリシーに基づく当該紙文書やスキャン画像等に対する操作制限の制御等を行う図示せぬポリシー制御機能（複合機）を備えている。
【００２９】
文書ポリシーサーバ３は、文書管理システム１００で管理される文書に設定されたポリシーの管理、文書の操作履歴、ログ情報等の管理及び各ユーザの認証等を行う。
【００３０】
文書ポリシーサーバ３による文書のポリシー管理は、具体的には、クライアントＰＣ１や複合機２等の各装置からの文書のポリシー設定要求に対して、その文書の識別情報と、その文書に関連付けするセキュリティ情報と、その文書の格納先等の各種情報を対応付けて記憶して管理する。また、文書にポリシーが設定される毎に、その文書の識別情報と、その文書に関連付けされたセキュリティ情報等の各情報を文書管理装置４に送信して、文書のポリシー設定があった旨を通知する。また、クライアントＰＣ１、複合機２及び文書管理装置４等の各装置からの文書に設定されたポリシーの問い合わせに対して、その文書に関連付けされたセキュリティ情報、その文書の格納先等の情報を問合せ元の装置に返信する。
【００３１】
文書管理装置４は、文書管理システム１００を構成するクライアントＰＣ１、複合機２及び文書ポリシーサーバ３の各装置の動作と同期して、文書に対するポリシータグの付与動作や文書に付与されたポリシータグの検知動作があった場合は、そのポリシータグに対応するセキュリティ情報をその文書のポリシーとして設定するように制御し、また、各装置での文書へのポリシーの設定動作や文書に設定されたポリシーの検知動作があった場合は、その文書に、そのポリシーに関連付けされたセキュリティ情報に対応するポリシータグを付与するように制御して、文書に付与されたポリシータグと当該文書に設定されたポリシーとの各セキュリティ情報を整合させる制御を行う。
【００３２】
ところで、このように構成された文書管理システム１００の本発明に係わる主な動作の特徴は、アクセスされた文書（以下、説明の便宜上、単に「アクセス文書」という。）にポリシータグが付与された場合またはポリシータグが付与されている場合は、当該アクセス文書に対して、そのポリシータグに対応したセキュリティ情報のポリシー設定を行い、また、アクセス文書にポリシーが設定された場合またはポリシーが設定されている場合は、当該アクセス文書に対して、そのポリシーに対応したセキュリティ情報のポリシータグの付与を行って文書を管理することであり、このような文書管理は、主に文書管理装置４の制御動作により行われる。
【００３３】
図３は、本発明に係わる文書管理装置４の機能的な構成を示すブロック図である。
【００３４】
図３に示すように、文書管理装置４は、ポリシータグ取得部４０、ポリシー設定部４１、ポリシー取得部４２、ポリシータグ付与部４３、ポリシー同期部４４、記憶部４５、登録部４６、推定部４７、提示部４８とで構成されている。
【００３５】
ポリシータグ取得部４０は、クライアントＰＣ１または複合機２等の各装置において、アクセス文書（電子文書または紙文書）にポリシータグの付与動作があった場合、またはアクセス文書のポリシータグの検知動作があった場合は、そのポリシータグを取得する制御を行う。
【００３６】
具体的には、例えば、クライアントＰＣ１でのユーザの操作により、電子文書の作成、編集、複写等の文書処理がなされ、その文書に禁複写（図２（ａ）参照）のポリシータグが付与された場合、またはアクセス文書に禁複写のポリシータグが付与されている場合は、そのポリシータグの情報を取得する。
【００３７】
また、複合機２でのユーザの操作により、紙文書から読み取ったスキャン画像にポリシータグが付与された、または紙文書から読み取ったスキャン画像にポリシータグが付与されている場合、複合機２でポリシータグが付与された紙文書が印刷出力された場合等、複合機２でのポリシータグの付与動作またはポリシータグの検知動作があった場合は、そのポリシータグの情報を取得する。
【００３８】
尚、ポリシータグは、前述したように、画像、ベクトル図形、各種文書処理機能が備えるヘッダ・フッタ機能等で表現されたセキュリティ情報に対応した情報である。
【００３９】
ポリシー設定部４１は、ポリシータグ取得部４０で取得されたポリシータグに対応するセキュリティ情報を記憶部４５に記憶された後述するポリシータグ情報対応表４５１（図５参照）を参照して特定し、特定されたセキュリティ情報を当該文書のポリシーとして文書ポリシーサーバ３に登録する制御を行う。また、ポリシータグに対応するセキュリティ情報が特定されない場合は、推定部４７によりポリシータグに対応するセキュリティ情報として推定されたセキュリティ情報を当該文書のポリシーとして文書ポリシーサーバ３に登録する制御を行う。
【００４０】
具体的には、ポリシータグが付与された文書の識別情報と、当該ポリシータグからポリシータグ情報対応表４５１を参照して特定される当該ポリシータグに対応したセキュリティ情報、または当該ポリシータグから推定されるセキュリティ情報とを文書ポリシーサーバ３に送信し、ポリシーの設定を要求することで、文書ポリシーサーバ３が当該文書の識別情報と、セキュリティ情報とに基づき当該文書に対するポリシーの設定を行う。
【００４１】
ポリシー取得部４２は、クライアントＰＣ１または複合機２等の各装置において、アクセス文書（紙文書及び電子文書）にポリシーの設定動作があった場合、またはアクセス文書に設定されたポリシーの検知動作があった場合は、そのポリシーのセキュリティ情報を取得する制御を行う。
【００４２】
具体的には、例えば、クライアントＰＣ１でのユーザの操作により、電子文書の作成、編集、複写等の文書処理がなされ、その文書にセキュリティ情報が関連付けされてポリシーが設定された場合、またはアクセス文書にポリシーが設定されている場合は、そのポリシーと関連付けされたセキュリティ情報を取得する。
【００４３】
また、複合機２でのユーザの操作により、紙文書から読み取ったスキャン画像にポリシーが設定された、またはスキャンする紙文書にポリシーが設定されている場合、複合機２でポリシーが設定された紙文書が印刷出力された場合等、複合機２でのポリシーの設定動作または設定されたポリシーの検知動作があった場合は、そのポリシーと関連付けされたセキュリティ情報を取得する。
【００４４】
ポリシータグ付与部４３は、ポリシー取得部４２で取得されたセキュリティ情報に対応するポリシータグを記憶部４５に記憶されたポリシータグ情報対応表４５１を参照して特定し、特定されたポリシータグを当該文書に付与する制御を行う。また、セキュリティ情報に対応するポリシータグが特定されない場合は、推定部４７によりセキュリティ情報に対応するポリシータグとして推定されたポリシータグを当該文書に付与する制御を行う。
【００４５】
ポリシー同期部４４は、ネットワーク５で接続されたクライアントＰＣ１、複合機２及び文書ポリシーサーバ３等の各装置の動作と同期して、各装置での文書に対するポリシーの設定動作や文書に設定されたポリシーの検知動作、または文書に対するポリシータグの付与動作や文書に付与されたポリシータグの検知動作を検出し、その文書のポリシータグとポリシーの各セキュリティ情報の整合性が保持されるように各部の動作を同期させる制御を行う。
【００４６】
具体的には、各装置間でネットワーク５を介して送受信されるデータ信号や制御信号、ステータス情報等を監視し、各装置での文書に対するアクセスの発生と同期して、文書に対するポリシータグの付与動作や文書に付与されたポリシータグの検知動作、またはポリシーの設定動作や文書に設定されたポリシーの検知動作が発生した場合は、これらの動作に伴い各装置から通知される情報に基づきその文書に付与されたポリシータグが示すセキュリティ情報をその文書のポリシーとして設定し、その文書に設定されたポリシーのセキュリティ情報に対応するポリシータグをその文書に付与して、同一文書に対して付与されたポリシータグと設定されたポリシーの各セキュリティ情報が整合するように制御する。
【００４７】
記憶部４５は、前述したようにＲＯＭ、ＲＡＭ、ハードディスク等の記憶装置で構成され、これらの各記憶装置へのデータの書き込みや各記憶装置からのデータの読み込み等の制御を行う装置であり、この記憶部４５には、ポリシータグ情報対応表４５１、ポリシータグ推定ＤＢ４５２、セキュリティ情報推定ＤＢ４５３、文書推定ＤＢ４５４及び文書管理装置４の動作に必要な各種プログラムやデータが記憶保持されている。
【００４８】
ポリシータグ情報対応表４５１は、ポリシータグとセキュリティ情報との対応関係を定めた情報（図５参照）であり、詳細は後述する。
【００４９】
また、ポリシータグ推定ＤＢ４５２は、ポリシータグとそのポリシータグに含まれる特徴的な情報とを関連付けて管理するデータベースであり、例えばポリシータグに含まれるキーワード（秘、禁複写、社外秘、グループ内開示等）や特定の画像形状（ＱＲコード等の一部の形状）及び信号情報（ＲＦＩＤ等の特定の信号）等から、それらの情報と関連するポリシータグが検索できるように構成されている。
【００５０】
また、セキュリティ情報推定ＤＢ４５３は、セキュリティ情報とそのセキュリティ情報に含まれる特徴的な情報とを関連付けて管理するデータベースであり、例えばセキュリティ情報に含まれるキーワード（複写の禁止、課長以下取扱い不可、印刷制限、編集不可、閲覧のみ等）等から、それらの情報と関連するセキュリティ情報が検索できるように構成されている。
【００５１】
また、文書推定ＤＢ４５４は、文書に含まれるテキストや画像等の特徴的な情報とその文書の識別情報とを関連付けて管理するデータベースであり、例えば文書に含まれるキーワードや特徴画像等から、それらの情報と関連する文書の識別情報が検索できるように構成されている。
【００５２】
ポリシータグ推定ＤＢ４５２及びセキュリティ情報推定ＤＢ４５３には、ポリシータグ情報対応表４５１に登録されているポリシータグ及びセキュリティ情報とそれらの特徴的な情報とが対応付けされて記憶管理され、文書推定ＤＢ４５４には、文書ポリシーサーバ３で管理された文書の識別情報とその文書の特徴的な情報とが対応付けされて記憶管理されている。
【００５３】
登録部４６は、本文書管理システム１００で管理するポリシータグ、セキュリティ情報、ポリシータグ情報対応表４５１、ポリシータグ推定ＤＢ４５２、セキュリティ情報推定ＤＢ４５３等の各情報の登録を行う。
【００５４】
推定部４６は、文書に付与されたポリシータグに対応するセキュリティ情報や、文書に設定されたポリシーに対応するセキュリティ情報と関連付けされたポリシータグの推定を行う。
【００５５】
具体的には、アクセス文書に付与されたポリシータグやアクセス文書に設定されたポリシーに対応するセキュリティ情報がポリシータグ情報対応表４５１に未登録の場合、そのポリシータグの特徴的な情報と同一又は類似するポリシータグをポリシータグ推定ＤＢ４５２を参照して推定する、またはセキュリティ情報の特徴的な情報と同一又は類似するセキュリティ情報をセキュリティ情報ＤＢ４５３を参照して推定する。
【００５６】
提示部４８は、クライアントＰＣ１、複合機２及び文書管理装置４のユーザの要求操作に応じてポリシータグ情報対応表４５１、ポリシータグ推定ＤＢ４５２、セキュリティ情報推定ＤＢ４５３及び文書管理装置４から提供可能な各種情報を要求元へ出力する、または文書管理装置４の図示せぬ出力装置（例えばディスプレイ等）に出力する。
【００５７】
このように構成された文書管理装置４がクライアントＰＣ１や複合機２等の各装置で文書へのポリシータグの付与またはポリシーの設定がなされた場合に、ポリシータグが付与された文書に対するポリシーの設定と、ポリシーが設定された文書に対するポリシータグの付与を行い、同一文書のポリシータグとポリシーの各セキュリティ情報が整合するように制御する動作について図４乃至図７を参照して説明する。
【００５８】
図４は、文書へのポリシータグの付与またはポリシーの設定がなされた場合の本発明に係わる文書管理動作の流れを示す流れ図である。
【００５９】
図４に示すように、文書管理装置４は、文書管理システム１００を構成するネットワーク５と接続されたクライアントＰＣ１、複合機２及び文書ポリシーサーバ３等の各装置の動作と同期して、これらの装置で、アクセス文書へのポリシータグの付与動作やポリシーの設定動作、またはアクセス文書に付与されたポリシータグや設定されたポリシーの検知動作があったか否かを検知する（ステップＳ４０１）。
【００６０】
具体的には、文書管理装置４のポリシー同期部４４がクライアントＰＣ１、複合機２及び文書ポリシーサーバ３等の各装置の動作を監視し、例えば、アクセス文書へのポリシータグの付与やポリシーの設定、若しくは、アクセス文書に付与されたポリシータグの検知やアクセス文書に設定されたポリシーの検知等の動作が各装置であったか否かを検出して検知する。
【００６１】
ステップＳ４０１において、アクセス文書へのポリシータグの付与動作が検知された場合は（ステップＳ４０２でＹＥＳ）、そのポリシータグを取得する（ステップＳ４０３）。
【００６２】
このポリシータグの付与動作の検知は、具体的には、例えばクライアントＰＣ１でユーザが文書処理ソフトで作成された電子文書（アクセス文書）にポリシータグを付与する場合は、クライアントＰＣ１の図示せぬ画面上に表示されたメニュー画面で「ポリシータグの付与」が選択されて、クライアントＰＣ１のポリシー制御機能（ＰＣ）により文書管理装置４に対してポリシータグの一覧情報の取得を要求するので、このポリシータグの取得要求に基づき文書管理装置４は、クライアントＰＣ１でのポリシータグの付与動作があったことを検知する。
【００６３】
また、アクセス文書へのポリシータグの付与動作は、具体的には、文書管理装置４のポリシータグ取得部４０がクライアントＰＣ１のポリシー制御機能（ＰＣ）と連携して、ポリシー制御機能（ＰＣ）からのポリシータグの取得要求に対して記憶部４５で記憶管理されたポリシータグ情報対応表４５１のポリシータグと、そのポリシータグに対応付けされたセキュリティ情報の全てをクライアントＰＣ１に返信し、ポリシー制御機能（ＰＣ）が文書管理装置４から返信されたポリシータグ及びセキュリティ情報を取得して、その情報を一覧画面で表示し、その一覧画面の中からアクセス文書に付与したいポリシータグをユーザが選択することで、選択されたポリシータグがアクセス文書に付与される。
【００６４】
また、アクセス文書へ付与されたポリシータグの取得動作は、具体的には、文書管理装置４のポリシータグ取得部４０がクライアントＰＣ１のポリシー制御機能（ＰＣ）から通知される一覧画面で選択されたポリシータグを受信して取得する。
【００６５】
尚、ポリシータグ取得部４０は、複合機２等の各装置とも連携して、各装置でアクセス文書にポリシータグの付与動作があった場合は、これらの各装置から通知されるポリシータグを受信して取得する。
【００６６】
また、アクセス文書に付与されるポリシータグは、前述したように画像、ベクトル図形、各種文書処理機能が備えるインタフェースで設定可能な情報、ＱＲコード、ＲＦＩＤ等、種々な方法で表現して付与することが可能であり、ポリシータグ取得部４０は、各種表現方法で表現されたポリシータグが取得できるように構成され、また、クライアントＰＣ１や複合機２等の各装置は、各種表現方法で表現されたポリシータグの検知または付与が可能なように構成される。
【００６７】
ステップＳ４０３で、アクセス文書に付与されたポリシータグが取得されると、取得したポリシータグに対応付けされたセキュリティ情報をポリシータグ情報対応表４５１を参照して特定する（ステップＳ４０４）。
【００６８】
具体的には、文書管理装置４のポリシー同期部４４がポリシータグ取得部４０で取得されたポリシータグに対応するセキュリティ情報を記憶部４５に記憶されたポリシータグ情報対応表４５１を参照して特定する。
【００６９】
ポリシータグ情報対応表４５１は、図５に示すように、ポリシータグとセキュリティ情報とが対応付けされており、ポリシータグに対応するセキュリティ情報、またはセキュリティ情報に対応するポリシータグが特定できるように構成されている。
【００７０】
図５は、画像で表現されたポリシータグとそのセキュリティ情報とが対応付けされたポリシータグ情報対応表４５１の一例を概念的に示した図であるが、例えばアクセス文書に付与されたポリシータグが丸秘で表現された画像情報の場合は、ポリシータグ情報対応表４５１のポリシータグ項目４６１で丸秘で表現された画像情報と一致する画像情報４６３を検索し、検索された画像情報４６３に対応付けされたセキュリティ情報４６４（セキュリティ情報項目４６２）、即ち、各部署の課長以下の者による取扱いを禁止する機密文書である旨の情報が特定できるように構成されている。
【００７１】
このように構成されたポリシータグ情報対応表４５１は、ポリシータグの各表現方法（画像、ベクトル図形、ＱＲコード、ＲＦＩＤの情報等）に応じたポリシータグとそのセキュリティ情報とが対応付けされて記憶部４５に記憶保持されており、ポリシータグに対応するセキュリティ情報、またはセキュリティ情報に対応するポリシータグが特定できるように構成されている。
【００７２】
また、文書に対して、ポリシータグが付与されておらず、ポリシーの設定も行われていない場合、文書に付与するためのデフォルトで定められたポリシータグと該ポリシータグに対応するセキュリティ情報も備えている。該ポリシータグは本文書管理システムの実施状況により任意に定めることとしてよい。例えば、本文書管理システムが特定の会社内でのみ用いられる場合は、「社外秘」という表現のポリシータグと該ポリシータグに対応するセキュリティ情報を設定するようにしてもよい。また、最低限必要なポリシータグと該ポリシータグに対応するセキュリティ情報を用意しておき、設定するようにしてもよい。  ステップＳ４０４で、アクセス文書に付与されたポリシータグのセキュリティ情報が特定されると（ステップＳ４０５でＹＥＳ）、特定されたセキュリティ情報を当該アクセス文書のポリシーとして文書ポリシーサーバ３に設定登録し、本発明に係わる文書管理の動作を終了する（ステップＳ４０６）。
【００７３】
アクセス文書へのポリシーの設定動作は、具体的には、文書管理装置４のポリシー設定部４１がアクセス文書の識別情報と、当該アクセス文書に付与されたポリシータグから特定されたセキュリティ情報とを文書ポリシーサーバ３に送信してポリシーの登録を要求し、文書ポリシーサーバ３が当該アクセス文書の識別情報とセキュリティ情報とに基づき当該アクセス文書に対するポリシーの設定を行う。
【００７４】
また、ステップＳ４０４で、アクセス文書に付与されたポリシータグに対応するセキュリティ情報が特定できなかった場合、即ち、当該ポリシータグがポリシータグ情報対応表４５１に未登録の場合は（ステップＳ４０５でＮＯ）、当該ポリシータグに対応するセキュリティ情報を推定し（ステップＳ４０７）、推定されたセキュリティ情報を当該アクセス文書のポリシーとして文書ポリシーサーバ３に設定登録し、本発明に係わる文書管理の動作を終了する。
【００７５】
尚、ステップＳ４０７におけるポリシータグに対応するセキュリティ情報の推定動作については、後述する。
【００７６】
前述のステップＳ４０１において、アクセス文書へのポリシーの設定動作が検知された場合は（ステップＳ４０２でＮＯ、ステップＳ４０８でＹＥＳ）、その設定されたポリシーに対応するセキュリティ情報を取得する（ステップＳ４０９）。
【００７７】
なお、アクセス文書へのポリシーの設定動作が検知されなかった場合は（ステップＳ４０８でＮＯ）、該文書にデフォルトで定められたポリシータグを設定（ステップＳ４１３）してステップＳ４０１に戻る。
【００７８】
このポリシーの設定動作の検知は、具体的には、例えばクライアントＰＣ１でユーザが文書処理ソフトで作成された電子文書（アクセス文書）にポリシーを設定する場合は、クライアントＰＣ１の図示せぬ画面上に表示されたメニュー画面で「ポリシーの設定」が選択されて、クライアントＰＣ１のポリシー制御機能（ＰＣ）により文書管理装置４に対してセキュリティ情報の一覧情報の取得を要求するので、このセキュリティ情報の取得要求に基づき文書管理装置４は、クライアントＰＣ１でのポリシーの設定動作があったことを検知する。
【００７９】
また、アクセス文書へのポリシーの設定動作は、具体的には、文書管理装置４のポリシー取得部４２がクライアントＰＣ１のポリシー制御機能（ＰＣ）と連携して、ポリシー制御機能（ＰＣ）からのセキュリティ情報の取得要求に対して記憶部４５で記憶管理されたポリシータグ情報対応表４５１のセキュリティ情報の全てをクライアントＰＣ１に返信し、ポリシー制御機能（ＰＣ）が文書管理装置４から返信されたセキュリティ情報を取得して、その情報を一覧画面で表示し、その一覧画面の中からアクセス文書に設定したいセキュリティ情報をユーザが選択することで、選択されたセキュリティ情報とアクセス文書の識別情報及びアクセス文書の格納先等の各情報が文書ポリシーサーバ３に送信され、それらの情報が文書ポリシーサーバ３で対応付けされて記憶され管理される。
【００８０】
また、アクセス文書へ設定されたポリシーのセキュリティ情報の取得動作は、具体的には、文書ポリシーサーバ３から通知されるポリシー設定のあったアクセス文書の識別情報とセキュリティ情報を受信し、このセキュリティ情報をクライアントＰＣ１でアクセス文書に設定されたポリシーのセキュリティ情報として取得する。
【００８１】
ステップＳ４０９において、アクセス文書に設定されたポリシーに対応するセキュリティ情報が取得されると、取得されたセキュリティ情報に対応するポリシータグを特定し（ステップＳ４１０）、特定したポリシータグを当該アクセス文書に付与して（ステップＳ４１１でＹＥＳ、ステップＳ４１２）、本発明に係わる文書管理の動作を終了する。
【００８２】
このアクセス文書に設定されたポリシーに対応するポリシータグの特定動作は、具体的には、例えばクライアントＰＣ１でユーザが文書処理ソフトで作成された電子文書（アクセス文書）にポリシーを設定する場合は、文書管理装置４のポリシー同期部４４がポリシー取得部４２で取得されたアクセス文書に設定されたポリシーのセキュリティ情報に対応するポリシータグをポリシータグ情報対応表４５１を参照して特定する。
【００８３】
また、特定されたポリシータグのアクセス文書への付与動作は、具体的には、文書管理装置４のポリシータグ付与部４３がポリシー同期部４４により特定されたポリシータグをポリシーの設定動作のあった装置（例えばクライアントＰＣ１）に送信して当該ポリシータグの付与を要求し、クライアントＰＣ１のポリシー制御機能（ＰＣ）は、送信されてきたポリシータグと、そのポリシータグのアクセス文書への付与要求をクライアントＰＣ１上の図示せぬ画面上に表示させ、ユーザの付与操作に基づき当該ポリシータグをアクセス文書に付与する。
【００８４】
尚、ポリシータグは、前述したように、画像、ベクトル図形、各種文書処理機能が備えるインタフェースで設定可能な情報等で表現可能であるので、ポリシー付与部４４は、各種表現方法で表現されたポリシータグがアクセス文書に付与可能に構成される。
【００８５】
また、ステップＳ４１０で、アクセス文書に設定されたポリシーのセキュリティ情報に対応するポリシータグが特定できなかった場合、即ち、アクセス文書に設定されたポリシーのセキュリティ情報がポリシータグ情報対応表４５１に未登録の場合は（ステップＳ４１１でＮＯ）、当該セキュリティ情報に対応するポリシータグを推定し（ステップＳ４１４）、推定されたポリシータグを当該アクセス文書に付与し（ステップＳ４１２）、本発明に係わる文書管理の動作を終了する。
【００８６】
尚、ステップＳ４１４におけるセキュリティ情報に対応するポリシータグの推定動作については、後述する。
【００８７】
次に、前述のステップＳ４０７におけるポリシータグに対応するセキュリティ情報の推定動作（図４参照）について、図６を参照して説明する。
【００８８】
図６に示すように、アクセス文書に付与されたポリシータグがポリシータグ情報対応表４５１に未登録の場合は、文書管理装置４の推定部４７がアクセス文書に付与されたポリシータグに含まれる特徴的な情報を抽出し、抽出した情報と同一又は類似する情報を含むポリシータグをポリシータグ推定ＤＢ４５２を参照して特定する（ステップＳ４０７１）。
【００８９】
ステップＳ４０７１において、アクセス文書に付与されたポリシータグに含まれる特徴的な情報と同一又は類似する情報を含むポリシータグが特定されると、そのポリシータグからポリシータグ情報対応表４５１を参照して当該ポリシータグに対応するセキュリティ情報を特定し、特定したセキュリティ情報がクセス文書のポリシーとして適切であるか否かを判断する（ステップＳ４０７２、ステップＳ４０７３）。
【００９０】
ステップＳ４０７３における、特定されたセキュリティ情報がアクセス文書のポリシーとして適切であるか否かの判断は、具体的には、特定されたセキュリティ情報のポリシーが設定された文書を文書ポリシーサーバ３に問合せて取得し、取得した文書に含まれる特徴的な情報と、アクセス文書の特徴的な情報とを比較し、所定値以上の類似性がある場合は、特定されたセキュリティ情報がアクセス文書のポリシーとして適切であると判断し、所定値以上の類似性がない場合は、特定されたセキュリティ情報がアクセス文書のポリシーとして適切でないと判断する。
【００９１】
ステップＳ４０７３において、ステップＳ４０７２で特定されたセキュリティ情報がクセス文書のポリシーとして適切であると判断された場合は（ステップＳ４０７４でＹＥＳ）、そのセキュリティ情報をアクセス文書に付与されたポリシータグに対応するセキュリティ情報として推定し（ステップＳ４０７５）、推定したセキュリティ情報を文書管理装置４の登録部４６がアクセス文書に付与されたポリシータグと対応付けてポリシータグ情報対応表４５１に登録し（ステップＳ４０７６）、ポリシータグに対応するセキュリティ情報の推定動作を終了する。
【００９２】
また、ステップＳ４０７３において、ステップＳ４０７２で特定されたセキュリティ情報がアクセス文書のポリシーとして適切であると判断されなかった場合は（ステップＳ４０７４でＮＯ）、推定部４７がアクセス文書に含まれるテキストや画像等の特徴的な情報と同一又は類似する情報を含む文書を文書推定ＤＢ４５４を参照して特定し（ステップＳ４０７７）、特定された文書に対応付けされたセキュリティ情報を文書ポリシーサーバ３に問合せて取得して、取得したセキュリティ情報をアクセス文書に付与されたポリシータグに対応するセキュリティ情報として推定する（ステップＳ４０７８）。また、ステップＳ４０７８において推定されたセキュリティ情報は、文書管理装置４の登録部４６がアクセス文書に付与されたポリシータグと対応付けてポリシータグ情報対応表４５１に登録し（ステップＳ４０７６）、ポリシータグに対応するセキュリティ情報の推定動作を終了する。
【００９３】
次に、前述のステップＳ４１４におけるセキュリティ情報に対応するポリシータグの推定動作（図４参照）について、図７を参照して説明する。
【００９４】
図７に示すように、アクセス文書に設定されたポリシーのセキュリティ情報に対応するポリシータグがポリシータグ情報対応表４５１に未登録の場合は、文書管理装置４の推定部４７がアクセス文書に設定されたポリシーのセキュリティ情報に含まれる特徴的な情報を抽出し、抽出した情報と同一又は類似する情報を含むセキュリティ情報を特定する（ステップＳ４１４１）。
【００９５】
ステップＳ４１４１において、ポリシーとして設定されたアクセス文書のセキュリティ情報に含まれる特徴的な情報と同一又は類似するセキュリティ情報が特定されると、特定されたセキュリティ情報に基づきポリシータグ情報対応表４５１を参照して当該セキュリティ情報に対応付けされたポリシータグを特定し（ステップＳ４１４２）、特定したポリシータグがアクセス文書のポリシータグとして適切であるか否かを判断する（ステップＳ４１４３）。
【００９６】
ステップＳ４１４３における、特定されたポリシータグがアクセス文書のポリシータグとして適切であるか否かの判断は、具体的には、特定されたポリシータグに対応するセキュリティ情報をポリシータグ情報対応表４５を参照して特定し、特定したセキュリティ情報のポリシーが設定された文書を文書ポリシーサーバ３に問合せて取得し、取得した文書に含まれる特徴的な情報と、アクセス文書の特徴的な情報とを比較し、所定値以上の類似性がある場合は、特定されたポリシータグがアクセス文書のポリシータグとして適切であると判断し、所定値以上の類似性がない場合は、特定されたポリシータグがアクセス文書のポリシータグとして適切でないと判断する。
【００９７】
ステップＳ４１４３において、ステップＳ４１４２で特定されたポリシータグがアクセス文書のポリシータグとして適切であると判断された場合は（ステップＳ４１４４でＹＥＳ）、そのポリシータグをアクセス文書のポリシータグとして推定し（ステップＳ４１４５）、推定したポリシータグを文書管理装置４の登録部４６がアクセス文書に設定されたセキュリティ情報と対応付けてポリシータグ情報対応表４５１に登録し（ステップＳ４１４６）、セキュリティ情報に対応するポリシータグの推定動作を終了する。
【００９８】
また、ステップＳ４１４３において、ステップＳ４１４２で特定されたポリシータグがアクセス文書のポリシータグとして適切であると判断されなかった場合は（ステップＳ４１４４でＮＯ）、推定部４７がアクセス文書に含まれるテキストや画像等の特徴的な情報と同一又は類似する情報を含む文書を文書推定ＤＢ４５４を参照して特定し（ステップＳ４１４７）、特定された文書に関連付けされたセキュリティ情報を文書ポリシーサーバ３に問合せて取得して、取得したセキュリティ情報と対応付けされたポリシータグをポリシータグ情報対応表４５１を参照して特定し、特定したポリシータグをアクセス文書に設定されたポリシーに対応するポリシータグとして推定する（ステップＳ４１４８）。また、推定されたポリシータグは、文書管理装置４の登録部４６によりアクセス文書に設定されたポリシーのセキュリティ情報と対応付けされてポリシータグ情報対応表４５１に登録され（ステップＳ４１４６）、セキュリティ情報に対応するポリシータグの推定動作を終了する。
【００９９】
次に、文書管理装置４がクライアントＰＣ１や複合機２等の各装置でアクセスされたアクセス文書にポリシータグが付与されている場合、またはポリシーが設定されている場合に、ポリシータグが付与されている文書に対するポリシーの設定と、ポリシーが設定されている文書に対するポリシータグの付与を行い、同一文書のポリシータグとポリシーの各セキュリティ情報が整合するように制御する動作について図８を参照して説明する。
【０１００】
図８は、アクセス文書にポリシータグが付与されている場合やポリシーが設定されている場合の本発明に係わる文書管理動作の流れを示す流れ図である。
【０１０１】
図８に示すように、文書管理装置４は、文書管理システム１００を構成するネットワーク５と接続されたクライアントＰＣ１、複合機２及び文書ポリシーサーバ３等の各装置の動作と同期して、これらの装置で、アクセス文書へのポリシータグの付与やポリシーの設定、またはアクセス文書に付与されたポリシータグや設定されたポリシーの検知動作があったか否かを検知する（ステップＳ８０１）。
【０１０２】
ステップＳ８０１において、アクセス文書に付与されたポリシータグが検知された場合は（ステップＳ８０２でＹＥＳ）、そのポリシータグを取得する（ステップＳ８０３）。
【０１０３】
このアクセス文書に付与されたポリシータグの検知動作は、具体的には、例えばポリシータグが付与された紙文書を複合機２でスキャンした場合は、複合機２は、複合機２のポリシー制御機能（複合機）の制御に基づき紙文書から読み取られたスキャン画像を解析してスキャン画像にポリシータグが含まれているか否かを検知し、ポリシータグが含まれている場合は、そのポリシータグをスキャン画像から抽出して取得し、文書管理装置４へ送信するので、複合機２からのポリシータグの通知に基づき文書管理装置４のポリシータグ取得部４０は、複合機２でスキャンされた紙文書（アクセス文書）にポリシータグが付与されていることを検知する。
【０１０４】
また、アクセス文書に付与されているポリシータグの取得動作は、具体的には、文書管理装置４のポリシータグ取得部４０が複合機２のポリシー制御機能（複合機）から送信されるポリシータグ受信して取得する。
【０１０５】
ステップＳ８０３で、アクセス文書に付与されたポリシータグが取得されると、取得したポリシータグに対応付けされたセキュリティ情報をポリシータグ情報対応表４５１を参照して特定し（ステップＳ８０４）、特定したセキュリティ情報を当該アクセス文書のポリシーとして文書ポリシーサーバ３に設定登録し、本発明に係わる文書管理の動作を終了する（ステップＳ８０６）。
【０１０６】
また、ステップＳ８０４で、アクセス文書に付与されたポリシータグに対応するセキュリティ情報が特定できなかった場合は（ステップＳ８０５でＮＯ）、当該ポリシータグに対応するセキュリティ情報を推定し（ステップＳ８０７）、推定されたセキュリティ情報を当該アクセス文書のポリシーとして文書ポリシーサーバ３に設定登録し、本発明に係わる文書管理の動作を終了する。
【０１０７】
尚、ステップＳ８０７におけるポリシータグに対応するセキュリティ情報の推定動作は、前述の図６で示したセキュリティ情報の推定動作と同様であるので省略する。
【０１０８】
前述のステップＳ８０１において、アクセス文書に設定されたポリシーが検知された場合は（ステップＳ８０２でＮＯ、ステップＳ８０８でＹＥＳ）、その設定されたポリシーに対応するセキュリティ情報を取得する（ステップＳ８０９）。
【０１０９】
なお、アクセス文書へのポリシーの設定動作が検知されなかった場合は（ステップＳ８０８でＮＯ）、該文書にデフォルトで定められたポリシータグを設定（ステップＳ８１３）してステップＳ８０１に戻る。
【０１１０】
このアクセス文書に設定されたポリシーの検知動作及びそのポリシーと関連付けされたセキュリティ情報の取得動作は、具体的には、例えばポリシーが設定された紙文書（アクセス文書）を複合機２でスキャンした場合は、複合機２は、複合機２のポリシー制御機能（複合機）の制御に基づき紙文書から読み取ったスキャン画像を解析して当該紙文書の識別情報を検知し、検知した識別情報と関連付けされたセキュリティ情報を文書ポリシーサーバ３に問合せて取得して、取得したセキュリティ情報と当該紙文書にポリシーが設定されている旨とを文書管理装置４に通知するので、この複合機２からの通知に基づき文書管理装置４は、複合機２でスキャンした紙文書にポリシーが設定されていることを検知し、その通知されたセキュリティ情報を当該紙文書に設定されたポリシーのセキュリティ情報として取得する。
【０１１１】
尚、スキャンした紙文書にポリシーが設定されていない場合は、当該紙文書にポリシーが設定されていない旨が文書ポリシーサーバ３から複合機２へ通知される。
【０１１２】
ステップＳ８０９において、アクセス文書に設定されたポリシーに対応するセキュリティ情報が取得されると、取得されたセキュリティ情報に対応するポリシータグを特定し（ステップＳ８１０）、特定したポリシータグを当該アクセス文書に付与して（ステップＳ８１１でＹＥＳ、ステップＳ８１２）、本発明に係わる文書管理の動作を終了する。
【０１１３】
このアクセス文書に設定されたポリシーに対応するポリシータグの特定動作は、具体的には、例えばポリシーが設定された紙文書（アクセス文書）を複合機２でスキャンした場合は、文書管理装置４のポリシー同期部４４がポリシー取得部４２で取得された紙文書（アクセス文書）に設定されたポリシーのセキュリティ情報に対応するポリシータグをポリシータグ情報対応表４５１を参照して特定する。
【０１１４】
また、特定されたポリシータグの付与動作は、具体的には、文書管理装置４のポリシータグ付与部４３がポリシー同期部４４により特定されたポリシータグをポリシーの設定動作のあった装置（例えば複合機２）に送信して当該ポリシータグの付与を要求し、複合機２のポリシー制御機能（複合機）は、送信されてきたポリシータグと、そのポリシータグの付与要求を複合機２の図示せぬ画面上に表示させ、ユーザの付与操作に基づき当該ポリシータグをスキャン画像に付与する。
【０１１５】
また、ステップＳ８１０で、アクセス文書に設定されたポリシーのセキュリティ情報に対応するポリシータグが特定できなかった場合、即ち、アクセス文書に設定されたポリシーのセキュリティ情報がポリシータグ情報対応表４５１に未登録の場合は（ステップＳ８１１でＮＯ）、当該セキュリティ情報に対応するポリシータグを推定し（ステップＳ８１４）、推定されたポリシータグを当該アクセス文書に付与し（ステップＳ８１２）、本発明に係わる文書管理の動作を終了する。
【０１１６】
尚、ステップＳ８１４におけるセキュリティ情報に対応するポリシータグの推定動作は、前述の図７で示したポリシータグの推定動作と同様であるので省略する。
【０１１７】
以上の説明では、ポリシータグに対応するセキュリティ情報の推定及びセキュリティ情報に対応するポリシータグの推定動作をポリシータグ、セキュリティ情報及びアクセス文書に含まれる特徴的な情報に基づきポリシータグ推定ＤＢ４５２、セキュリティ情報推定ＤＢ４５３及び文書推定ＤＢ４５４の各ＤＢを参照して推定する例を示したが、ポリシータグとそのセキュリティ情報との対応関係を文書管理システム１００とは他にベイジアンネットワークで構築し、ポリシータグに対応するセキュリティ情報またはセキュリティ情報に対応するポリシータグを推定する場合は、そのベイジアンネットワークに接続して問合せることで、ポリシータグに対応するセキュリティ情報またはセキュリティ情報に対応するポリシータグを取得するような構成としてもよい。
【０１１８】
この場合は、ポリシータグ推定ＤＢ４５２、セキュリティ情報推定ＤＢ４５３及び文書推定ＤＢ４５４の各ＤＢを不要とし、ポリシータグに対応するセキュリティ情報やセキュリティ情報に対応するポリシータグをベイジアンネットワークに問合せることで、それらの問合せに応じたポリシータグやセキュリティ情報が取得できる。
【０１１９】
また、本実施例では、文書に設定されたポリシーの管理を文書ポリシーサーバ３で行い、クライアントＰＣ１や複合機２等の各装置による文書に付与されたポリシータグと当該文書に設定されたポリシーとの各セキュリティ情報を整合させる制御を文書管理装置４で行う例を示したが、これらの動作を１つの文書管理装置で行うように構成してもよい。
【０１２０】
この場合は、クライアントＰＣ１や複合機２等の各装置が文書管理装置として、ポリシーの管理と文書に付与されたポリシータグと当該文書に設定されたポリシーとの各セキュリティ情報を整合させる制御も行うような構成とする。
【０１２１】
なお、本発明は、通信機能を備えた文書操作システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行するように構成することも可能である。
【０１２２】
また、プログラムを供給するための媒体は、通信媒体（通信回線、通信システムのように一時的または流動的にプログラムを保持する媒体）でもよい。例えば、通信ネットワークの電子掲示板（ＢＢＳ：Ｂｕｌｌｅｔｉｎ  Ｂｏａｒｄ  Ｓｅｒｖｉｃｅ）に該プログラムを掲示し、これを通信回線を介して配信するようにしてもよい。
【産業上の利用可能性】
【０１２３】
本発明は、文書を保護するための種々な利用形態に対応した文書の管理技術に適用可能である。
【図面の簡単な説明】
【０１２４】
【図１】本発明に係わる文書管理システム１００の主な構成を示す構成図
【図２】ポリシータグの一例を示す図
【図３】本発明に係わる文書管理装置４の機能的な構成を示すブロック図
【図４】文書へのポリシータグの付与またはポリシーの設定がなされた場合の本発明に係わる文書管理動作の流れを示す流れ図
【図５】ポリシータグ情報対応表４５１の一例を示す図
【図６】セキュリティ情報の推定の制御動作を示す流れ図
【図７】ポリシータグの推定の制御動作を示す流れ図
【図８】アクセス文書にポリシータグが付与されている場合やポリシーが設定されている場合の本発明に係わる文書管理動作の流れを示す流れ図
【符号の説明】
【０１２５】
１    クライアントＰＣ
２    複合機
３    文書ポリシーサーバ
４    文書管理装置
５    ネットワーク
４０  ポリシータグ取得部
４１  ポリシー設定部
４２  ポリシー取得部
４３  ポリシータグ付与部
４４  ポリシー同期部
４５  記憶部
４６  登録部
４７  推定部
４８  提示部
１００  文書管理システム
４５１  ポリシータグ情報対応表
４５２  ポリシータグ推定ＤＢ
４５３  セキュリティ情報推定ＤＢ
４５４  文書推定ＤＢ
４６１  ポリシータグ項目
４６２  セキュリティ情報項目
４６３  画像情報
４６４  セキュリティ情報
【図１】
0005145851.tif 000002
【図２】
0005145851.tif 000003
【図３】
0005145851.tif 000004
【図４】
0005145851.tif 000005
【図５】
0005145851.tif 000006
【図６】
0005145851.tif 000007
【図７】
0005145851.tif 000008
【図８】
0005145851.tif 000009